Podtech/llm-jp-corpus-v4-ja_patent huggingface dataset:
【手続補正書】
【提出日】令和2年1月21日(2020.1.21)
【手続補正１】
【補正対象書類名】特許請求の範囲
【補正対象項目名】全文
【補正方法】変更
【補正の内容】
【特許請求の範囲】
【請求項１】
遊技領域に対して発射された遊技媒体を受け入れ可能な始動口と、
前記始動口に遊技媒体が受け入れられたことに基づいて抽選を行う抽選手段と、
閉状態と開状態との間で動作可能な開閉部材を有し、該開閉部材が開状態にあるときに遊技媒体を内部領域へと進入させうる特定入賞口と、
前記特定入賞口の内部領域に進入した遊技媒体を、特定領域と一般領域とのいずれかに誘導するように所定の振分け動作が行われる振分動作手段と、
前記振分動作手段により前記特定領域へと遊技媒体が誘導されたことに基づき、遊技者に有利な遊技制御を実行可能な有利遊技制御手段と、
前記抽選手段による抽選にて特定の結果が得られた場合、前記振分動作手段による所定の振分け動作に対し、前記特定領域へと遊技媒体が誘導されるように前記開閉部材の動作にかかる制御を行う特定開放制御手段と、
前記特定開放制御手段による制御によって前記開閉部材の動作が行なわれている際に遊技媒体が前記特定領域へ進入せず前記特定開放制御手段による制御が終了された場合、遊技媒体が前記特定領域へ進入して前記特定開放制御手段による制御が終了された場合には実行され得ない特定態様の報知を実行しうる特定報知実行手段と、
を備え、
前記特定報知実行手段は、前記特定開放制御手段による制御の終了後、所定期間に亘って前記特定態様の報知を継続させうるものであり、
前記抽選手段による抽選にて前記特定の結果が得られた場合、前記特定開放制御手段によって前記開閉部材が複数回開状態とされ、該複数回の前記開閉部材の開状態には、前記特定入賞口へと受け入れられた遊技媒体が必ず前記特定領域へと誘導されるように前記開閉部材が開状態とされる特別開状態を含む
ことを特徴とする遊技機。
【手続補正２】
【補正対象書類名】明細書
【補正対象項目名】０００５
【補正方法】変更
【補正の内容】
【０００５】
上記従来の遊技機によれば、遊技者は、大当り遊技において賞を獲得することができるが、遊技興趣の低下が懸念される。
【手続補正３】
【補正対象書類名】明細書
【補正対象項目名】０００７
【補正方法】変更
【補正の内容】
【０００７】
手段１：遊技領域に対して発射された遊技媒体を受け入れ可能な始動口と、
前記始動口に遊技媒体が受け入れられたことに基づいて抽選を行う抽選手段と、
閉状態と開状態との間で動作可能な開閉部材を有し、該開閉部材が開状態にあるときに遊技媒体を内部領域へと進入させうる特定入賞口と、
前記特定入賞口の内部領域に進入した遊技媒体を、特定領域と一般領域とのいずれかに誘導するように所定の振分け動作が行われる振分動作手段と、
前記振分動作手段により前記特定領域へと遊技媒体が誘導されたことに基づき、遊技者に有利な遊技制御を実行可能な有利遊技制御手段と、
前記抽選手段による抽選にて特定の結果が得られた場合、前記振分動作手段による所定の振分け動作に対し、前記特定領域へと遊技媒体が誘導されるように前記開閉部材の動作にかかる制御を行う特定開放制御手段と、
前記特定開放制御手段による制御によって前記開閉部材の動作が行なわれている際に遊技媒体が前記特定領域へ進入せず前記特定開放制御手段による制御が終了された場合、遊技媒体が前記特定領域へ進入して前記特定開放制御手段による制御が終了された場合には実行され得ない特定態様の報知を実行しうる特定報知実行手段と、
を備え、
前記特定報知実行手段は、前記特定開放制御手段による制御の終了後、所定期間に亘って前記特定態様の報知を継続させうるものであり、
前記抽選手段による抽選にて前記特定の結果が得られた場合、前記特定開放制御手段によって前記開閉部材が複数回開状態とされ、該複数回の前記開閉部材の開状態には、前記特定入賞口へと受け入れられた遊技媒体が必ず前記特定領域へと誘導されるように前記開閉部材が開状態とされる特別開状態を含む
ことを特徴とする遊技機。
また、以下の手段を採用するようにしてもよい。
遊技媒体が順次に打ち出される発射手段と、
前記遊技媒体が受け入れ可能とされる入賞口手段と、
前記入賞口手段に遊技媒体が受け入れられたとき、遊技者に対して賞を付与する賞付与制御手段と
を備え、
前記発射手段により打ち出された遊技媒体が前記入賞口手段に至るまでに転動する一の転動通路として、
遊技媒体を転動させる表側通路、
前記表側通路に対して奥行き方向にずれた位置にあり、正面視で少なくとも互いの一部通路が高さ方向に重なるかたちで設けられる裏側通路、及び
前記表側通路と前記裏側通路との間を繋ぐ奥行連絡通路
が設けられてなることを特徴とする遊技機。
【手続補正書】
【提出日】令和2年1月21日(2020.1.21)
【手続補正１】
【補正対象書類名】特許請求の範囲
【補正対象項目名】全文
【補正方法】変更
【補正の内容】
【特許請求の範囲】
【請求項１】
遊技領域に対して発射された遊技媒体を受け入れ可能な始動口と、
前記始動口に遊技媒体が受け入れられたことに基づいて抽選を行う抽選手段と、
閉状態と開状態との間で動作可能な開閉部材を有し、該開閉部材が開状態にあるときに遊技媒体を内部領域へと進入させうる特定入賞口と、
前記特定入賞口の内部領域に進入した遊技媒体を、特定領域と一般領域とのいずれかに誘導するように所定の振分け動作が行われる振分動作手段と、
前記振分動作手段により前記特定領域へと遊技媒体が誘導されたことに基づき、遊技者に有利な遊技制御を実行可能な有利遊技制御手段と、
前記抽選手段による抽選にて特定の結果が得られた場合、前記振分動作手段による所定の振分け動作に対し、前記特定領域へと遊技媒体が誘導されるように前記開閉部材の動作にかかる制御を行う特定開放制御手段と、
前記特定開放制御手段による制御によって前記開閉部材の動作が行なわれている際に遊技媒体が前記特定領域へ進入せず前記特定開放制御手段による制御が終了された場合、遊技媒体が前記特定領域へ進入して前記特定開放制御手段による制御が終了された場合には実行され得ない特定態様の報知を実行しうる特定報知実行手段と、
を備え、
前記特定報知実行手段は、前記特定開放制御手段による制御の終了後、所定期間に亘って前記特定態様の報知を継続させうるものであり、
前記特定開放制御手段により前記特定入賞口の開閉が行われるとき、前記開閉部材の領域へと遊技媒体が流下するように発射が継続されてさえいれば、前記特定入賞口へと遊技媒体が受け入れられるとともに必ず前記特定領域へと遊技媒体が誘導される
ことを特徴とする遊技機。
【手続補正２】
【補正対象書類名】明細書
【補正対象項目名】０００５
【補正方法】変更
【補正の内容】
【０００５】
ところで、近年、このような遊技機では、遊技興趣の低下をより好適に抑制可能とすることが望まれていた。
【手続補正３】
【補正対象書類名】明細書
【補正対象項目名】０００７
【補正方法】変更
【補正の内容】
【０００７】
手段１：遊技領域に対して発射された遊技媒体を受け入れ可能な始動口と、
前記始動口に遊技媒体が受け入れられたことに基づいて抽選を行う抽選手段と、
閉状態と開状態との間で動作可能な開閉部材を有し、該開閉部材が開状態にあるときに遊技媒体を内部領域へと進入させうる特定入賞口と、
前記特定入賞口の内部領域に進入した遊技媒体を、特定領域と一般領域とのいずれかに誘導するように所定の振分け動作が行われる振分動作手段と、
前記振分動作手段により前記特定領域へと遊技媒体が誘導されたことに基づき、遊技者に有利な遊技制御を実行可能な有利遊技制御手段と、
前記抽選手段による抽選にて特定の結果が得られた場合、前記振分動作手段による所定の振分け動作に対し、前記特定領域へと遊技媒体が誘導されるように前記開閉部材の動作にかかる制御を行う特定開放制御手段と、
前記特定開放制御手段による制御によって前記開閉部材の動作が行なわれている際に遊技媒体が前記特定領域へ進入せず前記特定開放制御手段による制御が終了された場合、遊技媒体が前記特定領域へ進入して前記特定開放制御手段による制御が終了された場合には実行され得ない特定態様の報知を実行しうる特定報知実行手段と、
を備え、
前記特定報知実行手段は、前記特定開放制御手段による制御の終了後、所定期間に亘って前記特定態様の報知を継続させうるものであり、
前記特定開放制御手段により前記特定入賞口の開閉が行われるとき、前記開閉部材の領域へと遊技媒体が流下するように発射が継続されてさえいれば、前記特定入賞口へと遊技媒体が受け入れられるとともに必ず前記特定領域へと遊技媒体が誘導される
ことを特徴とする遊技機。
また、以下の手段を採用するようにしてもよい。
遊技領域に対して遊技媒体が順次に発射される発射手段と、
閉状態と開状態との間で動作可能な開閉部材を有し、該開閉部材が開状態にあるとき、前記遊技領域のうちの特定の転動領域を転動し終わった遊技媒体の進入が可能とされる入賞口手段と、
所定の始動条件が成立したことに基づいて判定を行う判定手段と、
前記判定手段による判定の結果に基づいて図柄変動にかかる制御を実行可能な図柄制御手段と、
前記図柄制御手段による図柄変動にて特定の停止図柄が現れたとき、前記入賞口手段の内部領域への遊技媒体の進入が可能とされるように前記開閉部材の動作にかかる開閉駆動制御を実行可能な特定駆動制御手段と、
前記入賞口手段に遊技媒体が受け入れられたとき、遊技者に対して賞を付与する賞付与制御手段と
を備え、
前記特定の転動領域には、
前記発射手段により発射された遊技媒体が当該特定の転動領域を転動し終わって前記入賞口手段に供給されるまでに要する時間をＴ１、前記特定駆動制御手段による駆動制御によって前記入賞口手段の内部領域への遊技媒体の進入が可能とされる時間として用いられうる時間をＴ２とするとき、それらの関係が「Ｔ１＞Ｔ２」となるように前記発射手段により発射された遊技媒体と関わり合う球通路構造が設けられてなる
ことを特徴とする遊技機。
【手続補正書】
【提出日】令和2年1月9日(2020.1.9)
【手続補正１】
【補正対象書類名】特許請求の範囲
【補正対象項目名】全文
【補正方法】変更
【補正の内容】
【特許請求の範囲】
【請求項１】
始動条件の成立に基づいて変動情報を取得する変動情報取得手段と、
前記変動情報取得手段が取得した前記変動情報に基づいて、特定当りであるかを判定する判定手段と、
前記判定手段によって前記特定当りであると判定されたことに基づいて、所定条件を満たすまで特定入賞口開閉部材を動作させる特定入賞口開閉部材制御手段と、
特定入賞口内の特定領域へ遊技球が進入することで遊技者に特典を付与する特典付与手段と、
前記特定入賞口内の特定部材を第一位置または第二位置へと動作させ得る特定部材制御手段と、を備え、
前記特定部材制御手段は、遊技が継続されさえすれば前記特定入賞口内に入球した遊技球が略１００％の確率で前記特定領域へ進入されるように前記第二位置にある前記特定部材を前記第一位置へ動作させる
ことを特徴とする遊技機。
【手続補正２】
【補正対象書類名】明細書
【補正対象項目名】０００５
【補正方法】変更
【補正の内容】
【０００５】
ところで、特定領域に遊技球が進入したことに基づいて大当り遊技が開始される遊技機において、これまでに特定領域への遊技球の進入に対して遊技興趣の低下を抑制する工夫が施されてきているものの、未だに改善の余地がある。
【手続補正３】
【補正対象書類名】明細書
【補正対象項目名】０００７
【補正方法】変更
【補正の内容】
【０００７】
上記課題を解決するために、本願発明は、始動条件の成立に基づいて変動情報を取得する変動情報取得手段と、
前記変動情報取得手段が取得した前記変動情報に基づいて、特定当りであるかを判定する判定手段と、
前記判定手段によって前記特定当りであると判定されたことに基づいて、所定条件を満たすまで特定入賞口開閉部材を動作させる特定入賞口開閉部材制御手段と、
特定入賞口内の特定領域へ遊技球が進入することで遊技者に特典を付与する特典付与手段と、
前記特定入賞口内の特定部材を第一位置または第二位置へと動作させ得る特定部材制御手段と、を備え、
前記特定部材制御手段は、遊技が継続されさえすれば前記特定入賞口内に入球した遊技球が略１００％の確率で前記特定領域へ進入されるように前記第二位置にある前記特定部材を前記第一位置へ動作させる
ことを特徴とする。
また、以下に記載の手段を採用するようにしてもよい。
手段１：遊技領域に対して遊技媒体が順次に打ち出される発射手段と、
開閉部材を有し、該開閉部材が開状態にあるときに遊技媒体が受け入れ可能とされる入賞口手段と、
遊技媒体が受け入れ可能とされる始動口と、
前記始動口に遊技媒体が受け入れられたことに基づいて判定を行う判定手段と、
前記判定手段による判定の結果に基づいて図柄変動にかかる制御を実行可能な図柄制御手段と、
前記図柄制御手段による図柄変動にて特定の停止図柄が現れたとき、前記判定手段による判定が新たに行われない期間を創出する制御を実行可能な非変動期間創出制御手段と、
前記非変動期間創出制御手段により創出される期間のなかで、前記入賞口手段の内部領域への遊技媒体の進入が可能とされるように前記開閉部材の動作にかかる開閉駆動制御を実行可能な特定駆動制御手段と、
前記特定駆動制御手段による開閉駆動制御が終了してからの所定のインターバル時間が経過したとき、前記非変動期間創出制御手段による制御を中断させて前記判定手段による新たな判定が行われることを許容する制御を実行可能な特定駆動制御手段と、
前記発射手段により打ち出された遊技媒体を前記入賞口手段および前記始動口へと刻々と近づく転動状態にて所定時間にわたって特定通路内で保持しうるように設けられた転動状態保持部材と
を備え、
前記転動状態保持部材は、
前記発射手段による遊技媒体の打ち出しが継続されているなかで前記特定駆動制御手段による開閉駆動制御が終了したとき、該終了した時点で前記特定通路内に保持されている遊技媒体の少なくとも半分以上を、前記所定のインターバル時間が経過するよりも前に前記始動口へと供給するように設けられてなる
ことを特徴とする遊技機。
【手続補正書】
【提出日】令和2年5月27日(2020.5.27)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、  
前記遊技領域の所定位置に設けられ、遊技球の入球が抽選の契機となる始動入賞口と、
前記始動入賞口への入球を契機として、通常遊技より遊技者に有利な状態である特別遊技へ移行するか否かを判定するための抽選値に基づいて当否判定を実行する当否判定手段と、
前記当否判定の結果を示す図柄変動の態様を決定するとともに、前記始動入賞口への入球に対応する図柄変動表示が直ちに開始されるか否かにかかわらずその入球に対応する図柄変動の態様を事前判定結果として決定する変動パターン決定手段と、
所定数の個数を上限に前記抽選値をその当否判定に対応する図柄の変動表示開始まで保留する保留制御手段と、
演出的な内容が表示される演出表示装置と、
前記演出表示装置の表示画面部周縁を囲うセンター飾りと、
前記センター飾りで囲われた部分以外の前記遊技領域に設けられた演出ランプと、
前記演出表示装置に表示させる演出的な内容を決定するとともに、所定の条件を満たした場合にはその時点で保留されている抽選値に対応する事前判定結果に基づいて大当りの期待度を示唆するために複数回の図柄変動にわたって継続し得る特殊連続演出を前記演出的な内容として決定する演出決定手段と、
前記演出決定手段により決定された前記演出的な内容を前記演出表示装置に表示させる演出表示制御手段と、
を備え、
前記演出表示制御手段は、前記保留されている抽選値の数を示すための保留表示を前記演出表示装置のうち前記センター飾りで囲われた部分に表示し、
前記演出決定手段は、前記保留表示を、前記保留されている抽選値のうちいずれの抽選値の事前判定結果が前記大当りの期待度が高い図柄変動の態様に該当するかを示唆する所定の表示態様にて表示する予告演出を前記演出的な内容として決定可能であり、
前記演出決定手段は、前記特殊連続演出の実行を決定する場合、前記演出ランプの点灯態様によって、前記保留されている抽選値に大当りが含まれている期待度を示唆するとともに、前記演出ランプ点灯の契機となった抽選値に対応する保留表示を、他の抽選値に対応する保留表示と同じ表示態様にて表示する予告演出をさらに前記演出的な内容として決定可能である弾球遊技機。
【手続補正２】
【補正対象書類名】明細書
【補正対象項目名】０００７
【補正方法】変更
【補正の内容】
【０００７】
このような目的達成のため、遊技領域が形成された遊技盤と、遊技領域の所定位置に設けられ、遊技球の入球が抽選の契機となる始動入賞口と、始動入賞口への入球を契機として、通常遊技より遊技者に有利な状態である特別遊技へ移行するか否かを判定するための抽選値に基づいて当否判定を実行する当否判定手段と、当否判定の結果を示す図柄変動の態様を決定するとともに、始動入賞口への入球に対応する図柄変動表示が直ちに開始されるか否かにかかわらずその入球に対応する図柄変動の態様を事前判定結果として決定する変動パターン決定手段と、所定数の個数を上限に抽選値をその当否判定に対応する図柄の変動表示開始まで保留する保留制御手段と、演出的な内容が表示される演出表示装置と、演出表示装置の表示画面部周縁を囲うセンター飾りと、センター飾りで囲われた部分以外の遊技領域に設けられた演出ランプと、演出表示装置に表示させる演出的な内容を決定するとともに、所定の条件を満たした場合にはその時点で保留されている抽選値に対応する事前判定結果に基づいて大当りの期待度を示唆するために複数回の図柄変動にわたって継続し得る特殊連続演出を演出的な内容として決定する演出決定手段と、演出決定手段により決定された演出的な内容を演出表示装置に表示させる演出表示制御手段と、を備え、演出表示制御手段は、保留されている抽選値の数を示すための保留表示を演出表示装置のうちセンター飾りで囲われた部分に表示し、演出決定手段は、保留表示を、保留されている抽選値のうちいずれの抽選値の事前判定結果が大当りの期待度が高い図柄変動の態様に該当するかを示唆する所定の表示態様にて表示する予告演出を演出的な内容として決定可能であり、演出決定手段は、特殊連続演出の実行を決定する場合、演出ランプの点灯態様によって、保留されている抽選値に大当りが含まれている期待度を示唆するとともに、演出ランプ点灯の契機となった抽選値に対応する保留表示を、他の抽選値に対応する保留表示と同じ表示態様にて表示する予告演出をさらに演出的な内容として決定可能である弾球遊技機である。
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
判定を実行する判定手段と、
その判定手段による判定結果を示すための識別情報が表示される表示手段と、
その表示手段に前記識別情報を動的表示することが可能な動的表示手段と、
その動的表示手段により動的表示される動的表示態様を決定する動的表示態様決定手段と、
前記表示手段に特定の判定結果を示すための前記識別情報が表示された場合に、遊技者に有利となる特典遊技を実行することが可能な特典遊技実行手段と、を有する遊技機において、
前記識別情報は、複数の識別図柄の組み合わせによる組み合わせ表示態様で前記判定手段による判定結果を示すものであり、
前記動的表示態様決定手段により決定される動的表示態様には、１の前記判定結果の動的表示として、前記複数の識別図柄を揺動させた状態で仮停止させた後、再び動的表示させる疑似連続動的表示態様が含まれるものであり、
前記遊技機は、
前記疑似連続動的表示態様で前記複数の識別図柄が仮停止された場合に、仮停止された前記複数の識別図柄の前面側に重なるように前記識別情報を有さない所定の静止図柄を前記１の前記判定結果の動的表示内で前記疑似連続動的表示態様が実行された回数に対応する態様で表示する静止図柄表示手段を有するものであり、
前記疑似連続動的表示態様が実行された回数に応じて、前記特定の判定結果を示すための前記識別情報が表示される期待度を異ならせることが可能であることを特徴とする遊技機。
【請求項２】
前記表示手段は、液晶ディスプレイで構成されているものであることを特徴とする請求項１記載の遊技機。
【手続補正２】
【補正対象書類名】明細書
【補正対象項目名】０００２
【補正方法】変更
【補正の内容】
【０００２】
パチンコ機等の遊技機には、始動入賞口への遊技球の入賞に基づいて、抽選を実行して、その抽選結果を示す図柄が表示手段に動的表示される。１の抽選結果を示す動的表示において、図柄を仮停止して、再度動的表示を開始させる遊技機が提案されている。
【手続補正３】
【補正対象書類名】明細書
【補正対象項目名】０００４
【補正方法】変更
【補正の内容】
【０００４】
しかしながら、かかる遊技機では、仮停止する場合に演出の興趣が低下してしまうという不具合があった。
【手続補正４】
【補正対象書類名】明細書
【補正対象項目名】０００６
【補正方法】変更
【補正の内容】
【０００６】
この目的を達成するために本発明の遊技機は、判定を実行する判定手段と、その判定手段による判定結果を示すための識別情報が表示される表示手段と、その表示手段に前記識別情報を動的表示することが可能な動的表示手段と、その動的表示手段により動的表示される動的表示態様を決定する動的表示態様決定手段と、前記表示手段に特定の判定結果を示すための前記識別情報が表示された場合に、遊技者に有利となる特典遊技を実行することが可能な特典遊技実行手段と、を有し、前記識別情報は、複数の識別図柄の組み合わせによる組み合わせ表示態様で前記判定手段による判定結果を示すものであり、前記動的表示態様決定手段により決定される動的表示態様には、１の前記判定結果の動的表示として、前記複数の識別図柄を揺動させた状態で仮停止させた後、再び動的表示させる疑似連続動的表示態様が含まれるものであり、前記遊技機は、前記疑似連続動的表示態様で前記複数の識別図柄が仮停止された場合に、仮停止された前記複数の識別図柄の前面側に重なるように前記識別情報を有さない所定の静止図柄を前記１の前記判定結果の動的表示内で前記疑似連続動的表示態様が実行された回数に対応する態様で表示する静止図柄表示手段を有するものであり、前記疑似連続動的表示態様が実行された回数に応じて、前記特定の判定結果を示すための前記識別情報が表示される期待度を異ならせることが可能である。
【手続補正５】
【補正対象書類名】明細書
【補正対象項目名】００１１
【補正方法】変更
【補正の内容】
【００１１】
本発明の遊技機によれば、判定を実行する判定手段と、その判定手段による判定結果を示すための識別情報が表示される表示手段と、その表示手段に前記識別情報を動的表示することが可能な動的表示手段と、その動的表示手段により動的表示される動的表示態様を決定する動的表示態様決定手段と、前記表示手段に特定の判定結果を示すための前記識別情報が表示された場合に、遊技者に有利となる特典遊技を実行することが可能な特典遊技実行手段と、を有し、前記識別情報は、複数の識別図柄の組み合わせによる組み合わせ表示態様で前記判定手段による判定結果を示すものであり、前記動的表示態様決定手段により決定される動的表示態様には、１の前記判定結果の動的表示として、前記複数の識別図柄を揺動させた状態で仮停止させた後、再び動的表示させる疑似連続動的表示態様が含まれるものであり、前記遊技機は、前記疑似連続動的表示態様で前記複数の識別図柄が仮停止された場合に、仮停止された前記複数の識別図柄の前面側に重なるように前記識別情報を有さない所定の静止図柄を前記１の前記判定結果の動的表示内で前記疑似連続動的表示態様が実行された回数に対応する態様で表示する静止図柄表示手段を有するものであり、前記疑似連続動的表示態様が実行された回数に応じて、前記特定の判定結果を示すための前記識別情報が表示される期待度を異ならせることが可能である。
【手続補正６】
【補正対象書類名】明細書
【補正対象項目名】１８４４
【補正方法】変更
【補正の内容】
【１８４４】
１０                      パチンコ機（遊技機）
８１                      表示手段
１１４                    表示制御装置（動的表示手段の一部）
Ｓ３０５                  判定手段
Ｓ３０７，Ｓ３０９        動的表示態様決定手段の一部
Ｓ１００４                特典遊技実行手段の一部
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
遊技領域に対して発射された遊技媒体を受け入れ可能な始動口と、
前記始動口に遊技媒体が受け入れられたことに基づいて抽選を行う抽選手段と、
閉状態と開状態との間で動作可能な開閉部材を有し、該開閉部材が開状態にあるときに遊技媒体を内部領域へと進入させうる特定入賞口と、
前記特定入賞口の内部領域に進入した遊技媒体を、特定領域と一般領域とのいずれかに誘導するように所定の振分け動作が行われる振分動作手段と、
前記振分動作手段により前記特定領域へと遊技媒体が誘導されたことに基づき、遊技者に有利な遊技制御を実行可能な有利遊技制御手段と、
前記抽選手段による抽選にて特定の結果が得られた場合、前記振分動作手段による所定の振分け動作に対し、前記特定領域へと遊技媒体が誘導されるように前記開閉部材の動作にかかる制御を行う特定開放制御手段と、
前記特定開放制御手段による制御によって前記開閉部材の動作が行なわれている際に遊技媒体が前記特定領域へ進入せず前記特定開放制御手段による制御が終了された場合、遊技媒体が前記特定領域へ進入して前記特定開放制御手段による制御が終了された場合には実行され得ない特定態様の報知を実行しうる特定報知実行手段と、
を備え、
前記特定報知実行手段は、前記特定開放制御手段による制御の終了後、所定期間に亘って前記特定態様の報知を継続させうる
ことを特徴とする遊技機。
【手続補正２】
【補正対象書類名】明細書
【補正対象項目名】０００５
【補正方法】変更
【補正の内容】
【０００５】
しかしながら、特定領域に遊技球が受け入れられたことに基づいて大当り遊技が開始される遊技機において、特定領域に遊技球が受け入れられたか否かが認識し難い実情があった。
【手続補正３】
【補正対象書類名】明細書
【補正対象項目名】０００６
【補正方法】変更
【補正の内容】
【０００６】
この発明は、こうした実情に鑑みてなされたものであり、特定領域に遊技球が受け入れられたか否かを認識し易い遊技機を提供することを目的とする。
【手続補正４】
【補正対象書類名】明細書
【補正対象項目名】０００７
【補正方法】変更
【補正の内容】
【０００７】
上記課題を解決するために、本願発明は、遊技領域に対して発射された遊技媒体を受け入れ可能な始動口と、
前記始動口に遊技媒体が受け入れられたことに基づいて抽選を行う抽選手段と、
閉状態と開状態との間で動作可能な開閉部材を有し、該開閉部材が開状態にあるときに遊技媒体を内部領域へと進入させうる特定入賞口と、
前記特定入賞口の内部領域に進入した遊技媒体を、特定領域と一般領域とのいずれかに誘導するように所定の振分け動作が行われる振分動作手段と、
前記振分動作手段により前記特定領域へと遊技媒体が誘導されたことに基づき、遊技者に有利な遊技制御を実行可能な有利遊技制御手段と、
前記抽選手段による抽選にて特定の結果が得られた場合、前記振分動作手段による所定の振分け動作に対し、前記特定領域へと遊技媒体が誘導されるように前記開閉部材の動作にかかる制御を行う特定開放制御手段と、
前記特定開放制御手段による制御によって前記開閉部材の動作が行なわれている際に遊技媒体が前記特定領域へ進入せず前記特定開放制御手段による制御が終了された場合、遊技媒体が前記特定領域へ進入して前記特定開放制御手段による制御が終了された場合には実行され得ない特定態様の報知を実行しうる特定報知実行手段と、
を備え、
前記特定報知実行手段は、前記特定開放制御手段による制御の終了後、所定期間に亘って前記特定態様の報知を継続させうる
ことを特徴とする。
また、以下に記載の手段を採用するようにしてもよい。
手段１：遊技領域に対して遊技媒体が順次に発射される発射手段と、
閉状態と開状態との間で動作可能な開閉部材を有し、該開閉部材が開状態にあるとき、前記遊技領域のうちの特定の転動領域内にある遊技媒体を内部領域へと進入させる入賞口手段と、
所定の可動部材が動作したときに遊技媒体の受け入れが許容されうる可動受入口と、
前記可動受入口に遊技媒体が受け入れられたことに基づいて判定を行う判定手段と、
前記判定手段による判定にて所定の結果が得られた場合、前記開閉部材の動作にかかる制御を行う開閉制御手段と、
前記開閉制御手段による制御によって開放された前記入賞口手段の内部領域に進入した遊技媒体が特定領域に受け入れられたとき、特典遊技を発生させる制御を実行可能な特典遊技制御手段と、
前記特典遊技制御手段による特典遊技が実行された後、前記判定手段による判定が保留の状態にされ易く、且つ前記特定領域に遊技媒体が受け入れられる期待値が高くされた有利な遊技状況が現れうるように制御する有利制御手段と、
前記特典遊技制御手段による特典遊技が実行された後、前記判定手段による判定が保留の状態にされ難く、且つ前記特定領域に遊技媒体が受け入れられる期待値が低くされた不
利な遊技状況が現れうるように制御する不利制御手段と
を備え、
前記有利制御手段による制御についての終了条件が満たされたことに基づいて前記不利制御手段による制御が開始された場合、該制御が開始されてからの所定期間は、前記不利制御手段による制御によって前記判定手段による判定が保留の状態にされ難くされるにもかかわらず、前記特定領域に遊技媒体が受け入れられる期待値は前記有利な遊技状況にあるときと同様で高いままとされる特殊な遊技状況が現れうるようにした
ことを特徴とする遊技機。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
この発明によれば、特定領域に遊技球が受け入れられたか否かを認識し易い遊技機を提供することが可能となる。
【手続補正書】
【提出日】令和2年5月13日(2020.5.13)
【手続補正１】
【補正対象書類名】特許請求の範囲
【補正対象項目名】全文
【補正方法】変更
【補正の内容】
【特許請求の範囲】
【請求項１】
抽選処理を実行する抽選手段と、
前記抽選処理の抽選結果に応じて遊技者に特典を付与する特典付与手段と、
前記抽選処理が実行されたことを少なくとも一の条件として絵柄の変動表示が行われる演出表示手段と、
前記抽選処理の実行に基づき、前記演出表示手段にて絵柄の変動表示が開始された後の特定期間に前記抽選結果に対応した表示を行うことが可能であって前記演出表示手段よりも小さく形成された結果表示手段と、
を備え、
前記抽選結果には、前記特典の付与に対応した抽選結果として複数種類の付与対応結果が含まれており、
前記結果表示手段は、前記複数種類の付与対応結果のうちのいずれか一の付与対応結果に応じた表示が前記結果表示手段において表示制御されるものであり、
前記演出表示手段は、前記抽選結果に応じた絵柄の変動表示が前記演出表示手段において表示制御されるものであり、
当該遊技機は、前記複数種類の付与対応結果のうち特定結果となった場合の前記結果表示手段における抽選結果の表示態様を遊技者に視認可能とさせる特定情報を、前記抽選結果が前記特定結果となった場合の前記特定期間とは異なる状況にて遊技者に認識させる情報提供手段と、
前記情報提供手段による前記特定情報の提供が行われることを報知する報知手段と、
を備え、
前記報知手段は、前記演出表示手段において最終停止絵柄列以外の絵柄列における絵柄の変動表示がリーチ表示非発生の状態において前記報知を行うものであることを特徴とする遊技機。
【手続補正２】
【補正対象書類名】明細書
【補正対象項目名】０００７
【補正方法】変更
【補正の内容】
【０００７】
本発明は、
抽選処理を実行する抽選手段と、
前記抽選処理の抽選結果に応じて遊技者に特典を付与する特典付与手段と、
前記抽選処理が実行されたことを少なくとも一の条件として絵柄の変動表示が行われる演出表示手段と、
前記抽選処理の実行に基づき、前記演出表示手段にて絵柄の変動表示が開始された後の特定期間に前記抽選結果に対応した表示を行うことが可能であって前記演出表示手段よりも小さく形成された結果表示手段と、
を備え、
前記抽選結果には、前記特典の付与に対応した抽選結果として複数種類の付与対応結果が含まれており、
前記結果表示手段は、前記複数種類の付与対応結果のうちのいずれか一の付与対応結果に応じた表示が前記結果表示手段において表示制御されるものであり、
前記演出表示手段は、前記抽選結果に応じた絵柄の変動表示が前記演出表示手段において表示制御されるものであり、
当該遊技機は、前記複数種類の付与対応結果のうち特定結果となった場合の前記結果表示手段における抽選結果の表示態様を遊技者に視認可能とさせる特定情報を、前記抽選結果が前記特定結果となった場合の前記特定期間とは異なる状況にて遊技者に認識させる情報提供手段と、
前記情報提供手段による前記特定情報の提供が行われることを報知する報知手段と、
を備え、
前記報知手段は、前記演出表示手段において最終停止絵柄列以外の絵柄列における絵柄の変動表示がリーチ表示非発生の状態において前記報知を行うものであることを特徴とする。
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
ＣＯ２を含有する排ガスと吸収液とを接触させて前記排ガス中のＣＯ２を除去し前記ＣＯ２を吸収した前記吸収液であるリッチ溶液を生成する吸収塔と、
前記リッチ溶液中のＣＯ２を除去し前記吸収液を再生する再生塔と、
前記リッチ溶液と当該リッチ溶液よりも温度が高く前記ＣＯ２が除去された前記吸収液との間の熱交換を行う熱交換器と、
前記熱交換器において熱交換された前記吸収液を前記吸収塔へ送出する吸収液送出配管と、
前記熱交換が行われる前の前記リッチ溶液を前記吸収液送出配管へ送出するバイパス配管と、
前記再生塔の底部に蓄積する前記吸収液の液面位置が所定の位置未満の場合に前記バイパス配管に設けられるバイパス制御弁の開度を増加させる制御装置と、
を備えるＣＯ２回収装置。
【請求項２】
前記制御装置は、前記熱交換器に前記リッチ溶液を送出するリッチ溶液送出配管における第一圧力が所定の閾値を超えた場合に、前記バイパス配管に設けられた前記バイパス制御弁の開度を増加させて、前記熱交換が行われる前の前記リッチ溶液を前記吸収液送出配管へ送出する
請求項１に記載のＣＯ２回収装置。
【請求項３】
前記リッチ溶液を前記再生塔へ送出するリッチ溶液送出配管と、
前記リッチ溶液送出配管に流れる前記リッチ溶液と前記吸収液との熱交換を行う前記熱交換器よりも前記再生塔側に設けられ前記前記リッチ溶液の流量を調整するリッチ溶液制御弁と、を備え、
前記制御装置は、前記液面位置が所定の位置以上の場合に当該液面位置の低下に応じて前記リッチ溶液制御弁の開度を増加させる
請求項１に記載のＣＯ２回収装置。
【請求項４】
ＣＯ２回収装置において、
吸収塔が、ＣＯ２を含有する排ガスと吸収液とを接触させて前記排ガス中のＣＯ２を除去し前記ＣＯ２を吸収した前記吸収液であるリッチ溶液を生成し、
再生塔が、前記リッチ溶液中のＣＯ２を除去し前記吸収液を再生し、
熱交換器が、前記リッチ溶液と当該リッチ溶液よりも温度が高く前記ＣＯ２が除去された前記吸収液との間の熱交換を行い、
吸収液送出配管が、前記熱交換器において熱交換された前記吸収液を前記吸収塔へ送出し、
バイパス配管を経由して前記熱交換が行われる前の前記リッチ溶液を前記吸収液送出配管へ送出し、
前記再生塔の底部に蓄積する前記吸収液の液面位置が所定の位置未満の場合に、前記バイパス配管に設けられるバイパス制御弁の開度を増加させる
ＣＯ２回収方法。
【請求項５】
前記熱交換が行われる前の前記リッチ溶液の前記吸収液送出配管における第一圧力が所定の閾値を超えた場合に、前記バイパス配管に設けられた前記バイパス制御弁の開度を増加させて、前記熱交換が行われる前の前記リッチ溶液を前記吸収液送出配管へ送出する
請求項４に記載のＣＯ２回収方法。
【請求項６】
リッチ溶液送出配管が、前記リッチ溶液を前記再生塔へ送出し、
リッチ溶液制御弁が、前記リッチ溶液送出配管に流れる前記リッチ溶液と前記吸収液との熱交換を行う前記熱交換器よりも前記再生塔側に設けられ前記前記リッチ溶液の流量を調整し、
前記液面位置が所定の位置以上の場合に当該液面位置の低下に応じて前記リッチ溶液制御弁の開度を増加させる
請求項４に記載のＣＯ２回収方法。
【手続補正２】
【補正対象書類名】明細書
【補正対象項目名】０００６
【補正方法】変更
【補正の内容】
【０００６】
本発明の第１の態様によればＣＯ２回収装置は、ＣＯ２を含有する排ガスと吸収液とを接触させて前記排ガス中のＣＯ２を除去し前記ＣＯ２を吸収した前記吸収液であるリッチ溶液を生成する吸収塔と、前記リッチ溶液中のＣＯ２を除去し前記吸収液を再生する再生塔と、前記リッチ溶液と当該リッチ溶液よりも温度が高く前記ＣＯ２が除去された前記吸収液との間の熱交換を行う熱交換器と、前記熱交換器において熱交換された前記吸収液を前記吸収塔へ送出する吸収液送出配管と、前記熱交換が行われる前の前記リッチ溶液を前記吸収液送出配管へ送出するバイパス配管と、前記再生塔の底部に蓄積する前記吸収液の液面位置が所定の位置未満の場合に前記バイパス配管に設けられるバイパス制御弁の開度を増加させる制御装置と、を備えることを特徴とする。
【手続補正３】
【補正対象書類名】明細書
【補正対象項目名】０００７
【補正方法】変更
【補正の内容】
【０００７】
上述のＣＯ２回収装置において、前記制御装置は、前記熱交換器に前記リッチ溶液を送出するリッチ溶液送出配管における第一圧力が所定の閾値を超えた場合に、前記バイパス配管に設けられた前記バイパス制御弁の開度を増加させて、前記熱交換が行われる前の前記リッチ溶液を前記吸収液送出配管へ送出してよい。
【手続補正４】
【補正対象書類名】明細書
【補正対象項目名】０００８
【補正方法】変更
【補正の内容】
【０００８】
上述のＣＯ２回収装置は、前記リッチ溶液を前記再生塔へ送出するリッチ溶液送出配管と、前記リッチ溶液送出配管に流れる前記リッチ溶液と前記吸収液との熱交換を行う前記熱交換器よりも前記再生塔側に設けられ前記前記リッチ溶液の流量を調整するリッチ溶液制御弁と、を備え、前記制御装置は、前記液面位置が所定の位置以上の場合に当該液面位置の低下に応じて前記リッチ溶液制御弁の開度を増加させてよい。
【手続補正５】
【補正対象書類名】明細書
【補正対象項目名】０００９
【補正方法】変更
【補正の内容】
【０００９】
本発明の第２の態様によればＣＯ２回収方法は、ＣＯ２回収装置において、吸収塔が、ＣＯ２を含有する排ガスと吸収液とを接触させて前記排ガス中のＣＯ２を除去し前記ＣＯ２を吸収した前記吸収液であるリッチ溶液を生成し、再生塔が、前記リッチ溶液中のＣＯ２を除去し前記吸収液を再生し、熱交換器が、前記リッチ溶液と当該リッチ溶液よりも温度が高く前記ＣＯ２が除去された前記吸収液との間の熱交換を行い、吸収液送出配管が、前記熱交換器において熱交換された前記吸収液を前記吸収塔へ送出し、バイパス配管を経由して前記熱交換が行われる前の前記リッチ溶液を前記吸収液送出配管へ送出し、前記再生塔の底部に蓄積する前記吸収液の液面位置が所定の位置未満の場合に、前記バイパス配管に設けられるバイパス制御弁の開度を増加させることを特徴とする。
【手続補正６】
【補正対象書類名】明細書
【補正対象項目名】００１０
【補正方法】変更
【補正の内容】
【００１０】
上述のＣＯ２回収方法において前記熱交換が行われる前の前記リッチ溶液の前記吸収液送出配管における第一圧力が所定の閾値を超えた場合に、前記バイパス配管に設けられた前記バイパス制御弁の開度を増加させて、前記熱交換が行われる前の前記リッチ溶液を前記吸収液送出配管へ送出してよい。
【手続補正７】
【補正対象書類名】明細書
【補正対象項目名】００１１
【補正方法】変更
【補正の内容】
【００１１】
上述のＣＯ２回収方法においてリッチ溶液送出配管が、前記リッチ溶液を前記再生塔へ送出し、リッチ溶液制御弁が、前記リッチ溶液送出配管に流れる前記リッチ溶液と前記吸収液との熱交換を行う前記熱交換器よりも前記再生塔側に設けられ前記前記リッチ溶液の流量を調整し、前記液面位置が所定の位置以上の場合に当該液面位置の低下に応じて前記リッチ溶液制御弁の開度を増加させてよい。
【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
リール本体と、
リール本体に対して回転可能なハンドルと、
リール本体に対して回転可能なスプールと、
前記スプールに一体回転可能に連結され、第１当接部を有するスプール軸と、
前記ハンドルの回転力を前記スプールに伝達及び遮断するクラッチ機構と、
内周部を前記スプール軸が貫通し、前記スプール軸に一体回転可能に連結される連結位置と、前記スプール軸との連結が解除される解除位置と、の間で前記スプール軸の軸方向に移動可能であり、内周部で前記第１当接部と軸方向に当接可能な第２当接部を有するピニオンギアと、
前記ピニオンギアが前記連結位置にあるとき、前記ピニオンギアの先端に接触して、前記スプール軸の前記第１当接部と前記ピニオンギアの第２当接部とを互いに離れる方向に付勢する弾性部材と、
を備えた、両軸受リール。
【請求項２】
前記スプール軸は、径方向に凹んで形成された凹部を有し、
前記弾性部材は、前記凹部に装着されている、
請求項１に記載の両軸受リール。
【請求項３】
前記スプール軸の前記凹部は、前記連結位置に近づくに従って外径が徐々に小さくなる傾斜部を有し、
前記弾性部材は、前記凹部を摺動可能であり、前記凹部の前記傾斜部によって前記解除位置側に向けて付勢されている、
請求項２に記載の両軸受リール。
【請求項４】
前記弾性部材は、前記ピニオンギアが前記連結位置にあるとき、前記ピニオンギアの先端内周面に接触して、前記ピニオンギアを径方向外側に向けて付勢する、
請求項２又は３に記載の両軸受リール。
【請求項５】
前記ピニオンギアの前記第２当接部は、内周部に設けられた段差部である、
請求項１から４のいずれか１項に記載の両軸受リール。
【請求項６】
前記弾性部材はＯリングである、
請求項１から５のいずれか１項に記載の両軸受リール。
【請求項７】
前記スプール軸は、径方向に突出した係合ピンをさらに有し、
前記ピニオンギアは、前記連結位置にあるとき、前記係合ピンに係合する係合凹部を有する、
請求項１から６のいずれか１項に記載の両軸受リール。
【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
第１の環境情報、及び前記第１の環境情報より過去の第２の環境情報から第１の基準値を超える環境変化を検出する環境変化検出部と、
前記環境変化の検出に基づき第１の血圧情報を測定する血圧測定部と、
前記第１の血圧情報を出力する血圧情報出力部と、
前記第１の血圧情報、及び前記第１の血圧情報よりも過去の第２の血圧情報を取得する情報取得部と、
前記第１及び第２の血圧情報から第２の基準値を超える血圧変動を検出する血圧変動検出部と、
前記血圧変動を通知する血圧変動情報を出力する変動情報出力部と、
を備え、
前記環境変化検出部は、前記第１の環境情報に対応する第１の温度情報、及び前記第２の環境情報に対応する第２の温度情報の少なくとも一方が温度基準値未満の場合に、前記環境変化を検出する情報処理装置。
【請求項２】
前記血圧測定部は、入力操作に対応する測定指示及び測定スケジュールに対応する測定指示のうちの何れか一つに基づき前記第２の血圧情報を測定し、
前記血圧情報出力部は、前記第２の血圧情報を出力する請求項１に記載の情報処理装置。
【請求項３】
前記血圧変動検出部は、血圧情報の取得に応じて前記第２の血圧情報を更新する請求項２に記載の情報処理装置。
【請求項４】
前記環境変化検出部は、環境情報の取得に応じて前記第２の環境情報を更新する請求項１乃至３の何れか１項に記載の情報処理装置。
【請求項５】
前記変動情報出力部は、前記環境変化を示す情報を含む前記血圧変動情報を出力する請求項１乃至４の何れか１項に記載の情報処理装置。
【請求項６】
前記血圧情報出力部は、被測定者の血圧測定状況を示す情報に関連付けて前記第１及び第２の血圧情報を出力し、
前記変動情報出力部は、前記血圧測定状況を示す情報を含む前記血圧変動情報を出力する請求項１乃至５の何れか１項に記載の情報処理装置。
【請求項７】
前記血圧測定状況を示す情報は、前記被測定者の血圧測定位置を含む請求項６に記載の情報処理装置。
【請求項８】
情報処理装置により実行される情報処理方法であって、
第１の環境情報、及び前記第１の環境情報より過去の第２の環境情報から第１の基準値を超える環境変化を検出する環境変化検出過程と、
前記環境変化の検出に基づき第１の血圧情報を測定する血圧測定過程と、
前記第１の血圧情報を出力する血圧情報出力過程と、
前記第１の血圧情報、及び前記第１の血圧情報よりも過去の第２の血圧情報を取得する情報取得過程と、
前記第１及び第２の血圧情報から第２の基準値を超える血圧変動を検出する血圧変動検出過程と、
前記血圧変動を通知する血圧変動情報を出力する変動情報出力過程と、
を備え、
前記環境変化検出過程は、前記第１の環境情報に対応する第１の温 
度情報、及び前記第２の環境情報に対応する第２の温度情報の少なくとも一方が温度基準値未満の場合に、前記環境変化を検出する情報処理方法。
【請求項９】
請求項１乃至７の何れか一つに記載の情報処理装置が備える各部としてコンピュータを機能させる情報処理プログラム。
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
１次側コンデンサと、２つ以上の半導体スイッチの直列接続で構成される複数個のスイッチングレグが、前記１次側コンデンサに並列に接続された構成の１次側スイッチング回路と、２次側コンデンサと、２つ以上の半導体スイッチの直列接続で構成される複数個のスイッチングレグが、前記２次側コンデンサに並列に接続された構成の２次側スイッチング回路と、前記１次側スイッチング回路の前記スイッチングレグの半導体スイッチの接続点と、前記２次側スイッチング回路の前記スイッチングレグの半導体スイッチの接続点を接続する少なくとも１つのインダクタンス要素からなる交流回路要素とを備えた直流変換器であって、
前記１次側スイッチング回路および前記２次側スイッチング回路の少なくともいずれか一方の回路状態を測定する回路状態測定手段と、予め回路状態範囲が記憶された記憶部および変換器制御を行う制御部とを有し、
前記回路状態測定手段で測定された回路状態が、前記記憶部に記憶された前記回路状態範囲を逸脱した場合は、前記制御部が前記半導体スイッチに与えるゲート信号の変調方式を変更することを特徴とする直流変換器。
【請求項２】
前記回路状態測定手段は、前記交流回路要素における電流を測定する交流リンク電流測定器であり、前記回路状態は前記交流回路要素における電流であることを特徴とする請求項１に記載の直流変換器。
【請求項３】
前記回路状態測定手段は前記１次側コンデンサと前記２次側コンデンサとにおける電圧を測定するコンデンサ電圧測定器であり、前記回路状態は前記１次側コンデンサと前記２次側コンデンサとにおけるコンデンサの電圧であることを特徴とする請求項１に記載の直流変換器。
【請求項４】
前記回路状態測定手段は前記１次側コンデンサと前記２次側コンデンサとにおける電圧を測定するコンデンサ電圧測定器であり、前記回路状態は前記１次側コンデンサの電圧と前記２次側コンデンサの電圧との差であることを特徴とする請求項１に記載の直流変換器。
【請求項５】
前記回路状態測定手段で測定された回路状態が、前記記憶部に記憶された前記回路状態範囲内の場合には、前記制御部は１次側半導体スイッチのゲート信号へのパルスと、２次側半導体スイッチのゲート信号へのパルスの間に位相差を付加した固定パルス幅のゲート信号を与える第１の変調方式とし、前記回路状態範囲を逸脱した場合は、前記１次側半導体スイッチのゲート信号へのパルスと、前記２次側半導体スイッチのゲート信号へのパルスの間に位相差を付加したパルス幅を変化させたゲート信号を与える第２の変調方式とすることを特徴とする請求項１から請求項４までのいずれか１項に記載の直流変換器。
【請求項６】
前記第１の変調方式と前記第２の変調方式とにおける前記ゲート信号の少なくともいずれか一方のパルス数が前記交流回路要素における交流回路電流の電流周期に対して２以上であることを特徴とする請求項５に記載の直流変換器。
【請求項７】
前記回路状態が前記記憶部に記憶された許容範囲を逸脱し前記変調方式を変更した際に、前記交流回路要素における電流値の制御を行う制御部を備えたことを特徴とする請求項１から請求項６までのいずれか１項に記載の直流変換器。
【請求項８】
前記回路状態が前記記憶部に記憶された許容範囲を逸脱した場合、前記交流回路要素における交流回路電流の許容範囲を上限とする交流回路電流指令値を生成して、前記交流回路電流指令値に交流回路電流値を追従させる電流制御ループを、前記回路状態が許容範囲内にある場合に行っている制御に付加するようにした制御部を備えたことを特徴とする請求項１から請求項７までのいずれか１項に記載の直流変換器。
【請求項９】
前記半導体スイッチは、２つ以上の半導体素子の並列接続で構成されることを特徴とする請求項１から請求項８までのいずれか１項に記載の直流変換器。
【手続補正２】
【補正対象書類名】明細書
【補正対象項目名】０００１
【補正方法】変更
【補正の内容】
【０００１】
この発明は、半導体スイッチを用い、直流電力を直流電力に変換する直流変換器に関するものである。
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
可変表示を実行可能な遊技機であって、
遊技の進行を制御する遊技制御手段と、
遊技の進行に応じた演出を実行可能な演出実行手段と、
複数種類の動作を検知可能な検知手段と、
可変表示の実行中に複数種類の演出に関する設定が可能であり、検知した動作の種類に対応した演出に関する設定が可能な演出設定手段と、
を備え、
前記演出実行手段は、遊技者にとって有利な内容を示唆する示唆演出を実行可能であるとともに、演出に関する所定条件の成立にもとづく所定制限が実行中であることを報知するための制限表示を、複数の異なる表示態様にて表示可能であり、
前記制限表示の表示態様によって前記示唆演出が実行される割合が異なり、
所定条件が成立しているときに、複数種類の演出に関する設定のうちの特定種類の演出に関する設定が制限される一方、該特定種類の演出の設定と異なる種類の設定については制限されない、
ことを特徴とする遊技機。
【手続補正２】
【補正対象書類名】明細書
【補正対象項目名】０００６
【補正方法】変更
【補正の内容】
【０００６】
（Ａ）可変表示を実行可能な遊技機であって、
遊技の進行を制御する遊技制御手段と、
遊技の進行に応じた演出を実行可能な演出実行手段と、
複数種類の動作を検知可能な検知手段と、
可変表示の実行中に複数種類の演出に関する設定が可能であり、検知した動作の種類に対応した演出に関する設定が可能な演出設定手段と、
を備え、
前記演出実行手段は、遊技者にとって有利な内容を示唆する示唆演出を実行可能であるとともに、演出に関する所定条件の成立にもとづく所定制限が実行中であることを報知するための制限表示を、複数の異なる表示態様にて表示可能であり、
前記制限表示の表示態様によって前記示唆演出が実行される割合が異なり、
所定条件が成立しているときに、複数種類の演出に関する設定のうちの特定種類の演出に関する設定が制限される一方、該特定種類の演出の設定と異なる種類の設定については制限されない、
ことを特徴とする。
前記課題を解決するために、本発明の手段１に記載の遊技機は、
可変表示を実行可能な遊技機（例えば、パチンコ遊技機１）であって、
複数種類の動作を検知可能な検知手段（例えば、スティックコントローラ３１Ａ）と、
可変表示の実行中に複数種類の演出に関する設定（例えば、演出モードの変更やスピーカ８Ｌ、８Ｒから出力される音の音量の変更）が可能であり、検知した動作の種類に対応した演出に関する設定が可能な演出設定手段（例えば、演出制御用ＣＰＵ１２０が図１０−１７に示す演出モード変更処理や図１０−２１に示す音量変更処理を実行する部分）と、
を備え、
所定条件が成立しているときには、複数種類の演出に関する設定のうちの特定種類の演出に関する設定が制限される一方、該特定種類の演出の設定とは異なる種類の設定については制限されない（例えば、図１０−２２に示すように、先読予告演出の実行が決定された場合やスーパーリーチの変動表示中は、該先読予告演出の対象変動表示が終了するまで、または、スーパーリーチの変動表示が終了するまで演出モードの変更が不可能となる一方で、音量の変更は常に実行可能である部分）
ことを特徴としている。
この特徴によれば、複数種類の演出設定について、無用な制限がされてしまうことのない適切な制御を行うことができる。